【事件の表示】
　平成１１年特許願第２０８３９４号「集積回路を動作させる方法」拒絶査定不服審判事件〔平成１２年　２月２５日出願公開、特開２０００−　５６８５３〕について、次のとおり審決する。
【結　論】
　本件審判の請求は、成り立たない。
【理　由】
１．手続の経緯　
　本願は、平成１１年７月２３日（パリ条約による優先権主張１９９８年７月２４日、米国）の出願であって、平成２０年６月２７日付けで拒絶査定がされ、これに対し平成２０年１０月６日に拒絶査定に対する不服審判が請求され、当審により平成２３年１月１３日付けで拒絶理由を通知し、同年３月３０日付けで手続補正書が提出されたものである。
　
２．本願発明について　
　本願請求項１乃至４に係る発明は平成２３年３月３０日付け手続補正書の特許請求の範囲１乃至４に記載された事項により特定されるとおりのものであるところ、請求項３に係る発明（以下、「本願発明」という。）は、以下のとおりのものである。
　
「【請求項３】　クロック出力信号を与えるよう構成されたクロック生成回路であっ
て、
　発振器信号を受け、かつ基準クロック信号を与えるよう構成された発振器増幅器であって、前記発振器増幅器は、第１利得を得るべく構成され、前記第１利得は前記基準クロック信号の周波数に基づいて調整可能である、発振器増幅器
と、
　前記基準クロック信号を受けるよう構成された周波数検出器であって、前記周波数検出器は閾値周波数を検出しかつフィードバック信号を前記発振器増幅器に与えるよう構成された、周波数検出器
と
　を具備し、前記第１利得は複数の個別の利得レベルの内の１つに調整可能であ
り、
　
前記発振器増幅器は、
　　
電流源と、
　　
前記電流源に接続された複数の能動素子であって、前記複数の能動素子の第１構成は、前記複数の個別の利得レベルの内の第１利得レベルを生成し、前記複数の能動素子の第２構成は、前記複数の個別の利得レベルの内の第２利得レベルを生成する前記複数の能動素子とを含む
　
３．引用発明　
　当審の拒絶理由に引用された特開平４−１６５７０４号公報（以下、「引用例」という。）には図面とともに以下の事項が記載されている。
　
（ａ）「　［産業上の利用分野］
　本発明は発振周波数により利得制御される水晶発振回路に関する。
　［従来の技術］
　従来の水晶発振回路の利得は一定であった。
　［発明が解決しようとする課題］
　しかしながら発振開始時間を短くするため水晶発振回路の利得を高くした場合、電源投入時など電源にノイズが加わった場合に高調波発振など設定された周波数より高い周波数で発振する事があり、この様な異常発振による発振信号が周辺回路に入力された場合、周辺回路が誤動作するという課題を有する。
　また異常発振を防止するために水晶発振回路の利得を低く設定した場合、発振開始時間が長くなり、また電源電圧が低下した場合発振が停止しやすくなり動作電圧範囲が狭くなるという課題も有する。」
（第１頁左欄第１７行〜同頁右欄第１４行）
　
（ｂ）「　［実施例］ 
　第１図に本発明の一実施例を示す。 
　水晶発振回路１が発振を開始すると発振信号２が分周回路３および高域通過フィルタ４に入力される。　
　高域通過フィルタ４の出力は検出回路５に入力され利得切り換え信号６が水晶発振回路１に出力される。　
　水晶発振回路１は発振インバータ７、発振インバータ７と並列に接続された利得切り換え用インバータ８、発振インバータ７の出力に接続されるドレイン抵抗９、発振インバータ７とドレイン抵抗９を介して並列に接続される帰還抵抗１０より構成され水晶振動子１１をゲート端子１２とドレイン端子１３との間に接続することで発振を開始する。　
　高域通過フィルタ４は容量（Ｃ）・抵抗（Ｒ）による１次のバイパスフィルタで構成し、検出回路５は高域通過フィルタ４の出力を平滑化することで利得切り換え信号６を出力する。　
　電源投入時、利得切り換え信号６はハイレベルとなり利得切り換え用インバータ８がオンし水晶発振回路１の利得は高くなり発振開始時間が短縮される。　
　発振の開始後電源ノイズが加わるなどして水晶発振回路１が高調波発振など設定された周波数より高い周波数で発振をした場合、高域通過フィルタ４より検出回路５に信号が入力され利得切り換え信号６がローレベルとなる。
　すると利得切り換えインバータ８がオフし、水晶発振回路１の利得は低下し異常発振を正常発振に導く。」　
（第２頁左上欄第１３行〜同頁左下欄第４行）
　
　したがって、上記記載事項、及び各図面から引用例には、次の発明（以下、「引用発明」という。）が記載されているものと認められる。
　
「水晶発振回路１は発振インバータ７、発振インバータ７と並列に接続された利得切り換え用インバータ８、発振インバータ７の出力に接続されるドレイン抵抗９、発振インバータ７とドレイン抵抗９を介して並列に接続される帰還抵抗１０より構成され、水晶振動子１１をゲート端子１２とドレイン端子１３との間に接続することで発振を開始し、 
　高域通過フィルタ４は容量（Ｃ）・抵抗（Ｒ）による１次のバイパスフィルタで構成し、 
　検出回路５は高域通過フィルタ４の出力を平滑化することで利得切り換え信号６を出力し、 
　水晶発振回路１が発振を開始すると発振信号２が分周回路３および高域通過フィルタ４に入力され、 
　高域通過フィルタ４の出力は検出回路５に入力され利得切り換え信号６が水晶発振回路１に出力され、 
　電源投入時、利得切り換え信号６はハイレベルとなり利得切り換え用インバータ８がオンし水晶発振回路１の利得は高くなり発振開始時間が短縮され、 
　水晶発振回路１が設定された周波数より高い周波数で発振をした場合、高域通過フィルタ４より検出回路５に信号が入力され利得切り換え信号６がローレベルとなって利得切り換えインバータ８がオフし、水晶発振回路１の利得は低下する半導体集積装置。」
　
４．本願発明と引用発明の対比
　引用発明の「水晶振動子１１」は、本願発明の「発振器」に相当する。　
　
　引用発明の「水晶発振回路１」は、ゲート端子１２とドレイン端子１３との間に水晶振動子１１が接続され水晶振動子からの信号を受けており、また、水晶振動子からの信号を、利得を有するインバータ（反転増幅器）７及び８で増幅して発振信号を出力しているから、本願発明の「発振器増幅器」と発振器信号を受けて、信号を与えるように構成される発振器増幅器である点で共通している。　
　また、引用発明の「水晶発振回路１」は、電源投入時、利得が高くなり発振開始時間が短縮され、水晶発振回路１が設定された周波数より高い周波数で発振をした場合、高域通過フィルタ４より検出回路５に発振信号２が入力され利得切り換え信号６がローレベルとなって利得切り換えインバータ８がオフして利得は低下するように構成され、また、高域通過フィルタ４が発振信号２を通過するのは所定の周波数（閾値周波数に相当）以上であるから、引用発明の「水晶発振回路１」は、本願発明の「発振器増幅器」が複数の個別の利得レベルのうちの１つに調整可能である第１の利得を有し、閾値発振周波数に対する発振信号の周波数に基づいて利得を調整する点で共通している。
　
　引用発明の「高域通過フィルタ４」及び「検出回路５」は、水晶発振回路１が設定された周波数より高い周波数で発振をした場合、高域通過フィルタ４より検出回路５に発振信号２が入力され利得切り換え信号６がローレベルとなって利得切り換えインバータ８がオフし、水晶発振回路１の利得は低下するから、本願発明の「周波数検出器」と信号を受けるよう構成され、閾値周波数を検出しかつフィードバック信号を発振器増幅器に与えるよう構成される点で共通している。
　
　引用発明の「半導体集積装置」は、集積された回路であるから、本願発明の「クロック生成回路」と回路である点で共通している。
　
　したがって、本願発明と引用発明との一致点・相違点は、次のとおりである。
　
［一致点］ 
「発振器信号を受け、かつ信号を与えるよう構成された発振器増幅器であって、前記発振器増幅器は、第１利得を得るべく構成され、前記第１利得は調整可能である、発振器増幅器と、　
　前記信号を受けるよう構成された周波数検出器であって、前記周波数検出器は閾値周波数を検出しかつフィードバック信号を前記発振器増幅器に与えるよう構成された、周波数検出器と　
　を具備し、前記第１利得は複数の個別の利得レベルの内の１つに調整可能である回路。」である点。 　
　
［相違点１］
　本願発明では、「クロック出力信号を与えるよう構成されたクロック生成回路」であるのに対して、引用発明では、回路がクロック生成回路である記載がない点。　
　
［相違点２］
　本願発明では、「発振器増幅器」が「基準クロック信号」を与えるよう構成されているのに対して、引用発明では、「水晶発振回路１」が発振信号２を与えていて、基準クロック信号を与える構成である記載がない点。　
　
［相違点３］
　本願発明では、「発振器増幅器」の第１の利得が「基準クロック信号の周波数に基づいて調整可能」であるのに対して、引用発明では、「水晶発振回路１」の利得切換が発振信号２の周波数に基づいていて、基準クロック信号の周波数に基づいて調整可能である記載がない点。　
　
［相違点４］　
　本願発明では、「発振器増幅器」が、電流源と、前記電流源に接続された複数の能動素子であって、前記複数の能動素子の第１構成は、前記複数の個別の利得レベルの内の第１利得レベルを生成し、前記複数の能動素子の第２構成は、前記複数の個別の利得レベルの内の第２利得レベルを生成する前記複数の能動素子とを含むのに対して、引用発明では、水晶発振回路１が利得を切り換えてはいるが、電流源と能動素子を含む構成についての記載がない点。
　
５．判断  
　以下、各相違点について検討する。  
［相違点１、２及び３］について  
　本願発明も引用発明も発振振動子として水晶振動子を用いる発振回路に係る技術分野に属している。そして、当該技術分野において、インバータ（反転増幅器）から出力された発振信号を基準クロック信号として用いることは周知技術（例えば、特開平９−２７７１７号公報段落番号【０００２】〜【０００３】の記載等参照）である。　
　したがって、引用発明においても、水晶発振回路のインバータ（反転増幅器）７及び８の与える信号を基準クロック信号としたクロック生成回路とすることは当業者が容易に想到するものである。
　
［相違点４］について　
　増幅器の技術分野において、異なる利得レベルに切り替え可能な増幅器を、電流源と複数の能動素子（トランジスタ）とで構成し、切り換える利得レベルに対応した能動素子を動作させる構成は周知技術（例えば、特開平９−１３５１２９号公報第２図及び第４図、特開平３−８５８０４号公報第２図、及び、特開平８−２６５０６４号公報第１図等参照）である。
　したがって、引用発明の利得を切り替えるインバータ（反転増幅器）７及び８に換えて、電流源と、前記電流源に接続された複数の能動素子であって、前記複数の能動素子の第１構成は、複数の個別の利得レベルの内の第１利得レベルを生成し、前記複数の能動素子の第２構成は、複数の個別の利得レベルの内の第２利得レベルを生成する前記複数の能動素子とを含む構成とすることは当業者が容易に想到するものである。
　
　また、本願発明の効果も引用発明及び周知技術から当業者が予測し得る範囲のものである。
　したがって、本願発明は、引用発明及び周知技術に基づいて、当業者が容易に発明をすることができたものであるから、特許法第２９条第２項の規定により特許を受けることができないものである。　
　
６．むすび  
　以上のとおり、本願発明は、引用発明及び周知技術に基づいて、当業者が容易に発明をすることができたものであるから、特許法第２９条第２項の規定により特許を受けることができない。　
　したがって、その余の請求項について論及するまでもなく、本願は拒絶すべきものである。